【手続補正書】
【提出日】平成15年5月28日(2003.5.28)
【手続補正１】
【補正対象書類名】明細書
【補正対象項目名】全文
【補正方法】変更
【補正の内容】
【発明の名称】レフィール保持パイプガイド及びこのレフィール保持パイプガイドを具えるレフィール繰り出し装置
【特許請求の範囲】
【請求項１】複数のレフィールを出没自在に収納する軸筒内に内装されるレフィール繰り出し装置において、保持する複数のレフィール保持パイプに合わせて円形貫通底部を分割してなるレフィール保持パイプガイドの側面において、レフィールを一体に挿嵌、保持してなるレフィール保持パイプを自在に側面方向からレフィール保持溝内に挿嵌できるように、外壁の一部に前後方向に切り欠き部を穿設すると共に、この切り欠き部略先端において、円周方向に左右から突出する弾性係止爪を配設してなるレフィール保持パイプガイド。
【請求項２】複数のレフィールを出没自在に収納する軸筒内に内装される、カバー体と連結されて、装着されたスプリングにより軸筒後端より出没自在となるノック体と、該ノック体と共に進退自在、かつ揺動自在となる押出棒と、その後端部を細径化しつつ樹脂又は金属により一体に成形してなるレフィール保持パイプと、請求項１記載のレフィール保持パイプガイドより構成されるレフィール繰り出し装置。
【発明の詳細な説明】
【０００１】
【発明が属する技術分野】
この発明は、シャープペンシルや異なった色彩を有する複数のレフィールを出没自在に軸筒内に収納し、使用者の要求に応じてシャープペンシルや異なった色彩のレフィールを軸筒より出没させて筆記を可能としてなる筆記具の構造に関する。
【０００２】
【従来の技術】
従来、シャープペンシルや異なった色彩を有する複数のレフィール等の複数の筆記軸を出没自在に軸筒内に収納し、用途に応じて異なった筆記軸を軸筒より突出固持して筆記を可能としてなる筆記具の軸筒は、通常大径化された合成樹脂によりなるものが一般的であるが、近年においては、例えばシステム手帳等の使用が一般に普及していることで、このような多色の筆記を可能とする筆記具においてもシステム手帳等の筆記を行うものに合わせたコーディネートが使用者から要求されると共に、上記システム手帳においては、使用者にとっての運搬性や外観性も同等に必要とされる結果、システム手帳の小型化等が図られるに伴って、これに使用する筆記具自体の小型化、特に筆記具を構成することとなる軸筒の細径化が要求されることとなって、この筆記具を構成することとなる軸筒内に内装されるレフィール繰り出し装置を構成する各種部品においても同様に筆記軸の細径化に対応した部品の設計が求められている。
【０００３】
【発明が解決しようとする課題】
しかしながら、上記筆記具の小型化、特に筆記具を構成することとなる軸筒に対する細径化に際して、従来の筆記具を構成する部品を使用すると、例えばレフィールを保持すると共に、軸筒の先端から出没させるよう軸筒後端から突出するノック体への打突を押出棒を介してレフィールに伝達してなるレフィール保持パイプにおいては、レフィールを保持することとなる前端と、上記ノック体への打突を伝達する押出棒に当接する後端とでは別体に製作され、この別体に製作されたレフィール保持パイプ前端と後端とをポンチ又は接合により一体としているものであるから、この一体化に際してレフィール保持パイプの変形が生じ易い上、作業工程が複雑であるがために製造コストの上昇を招いてしまうこととなるものである。
【０００４】
また、このような筆記具を構成する軸筒内に内装されるレフィール繰り出し装置を構成するレフィール保持パイプを保持して、使用者の希望するレフィールを軸筒の先端から突出させるために、筆記具を構成する軸筒後端から突出するノック体への打突に応じて前進する押出棒により押勢されるレフィール保持パイプをスプリングと共に保持してなるレフィール保持パイプガイドは、従来であれば押出棒の前進に伴うレフィールの円滑な摺動を確保するべくレフィール保持パイプを全周的に抱持するものとなっていたが、このようにレフィール保持パイプを全周的に抱持するものとすると、レフィール保持パイプガイドの外径が大径化してしまい、昨今筆記具に求められている筆記具の小型化、特に筆記具を構成することとなる軸筒の細径化に対して十分に対応することができないものである。
【０００５】
更に、この筆記具を構成することとなる軸筒内に内装されるレフィール繰り出し装置において、求められる小型化、細径化を安易に行うこととすると、レフィール繰り出し装置を構成することとなる部品自体の強度を低下させてしまい、常時携帯されて外部からの衝撃を受けやすい厳しい使用環境の下では部品の破損等を招いて、レフィールの出没不能等の故障の原因を生じ易いものでもある。
【０００６】
一方、例えば従来の構造のようにレフィール保持パイプガイドがレフィール保持パイプを全周的に抱持するような構造であるものとすると、筆記具の小型化、特に筆記具を構成する軸筒の小型化、細径化に際して、専用の細径のレフィールやその他の部品を使用する必要があり、筆記具自体の製造コストの上昇や製造作業の作業性低下を招くばかりでなく、使用者にとっては専用部品を常に準備しておかなければならないという汎用性に欠ける状態となって、コスト面での負担や使用に際しての煩雑を与えてしまう欠点がある。
【０００７】
そこで、この発明は上記従来のものの有する問題点を解決するものであり、部品の強度や円滑なレフィールの出没を確保すると共に使用に際しての汎用性を確保しつつ、筆記具の小径化、特に細径化に対して、筆記具を構成することとなる軸筒内に内装されるレフィール繰り出し装置を構成する部品が対応できるようにするものである。
【０００８】
【課題を解決するための手段】
そのために、まず、複数のレフィールを出没自在に収納する軸筒内に内装される、カバー体と連結されて、軸筒後端より突出するとともに、装着されるスプリングにより出没自在となるノック体と、該ノック体と共に進退自在、かつ揺動自在である押出棒と、その前方において、上記各レフィールをそれぞれ一体に挿嵌、保持してなるレフィール保持パイプの後端部を、該レフィール保持パイプに外装するスプリングと共に摺動自在に固持し、一方その後方の円形貫通底部を、軸筒内に保持する複数のレフィール保持パイプに合わせて分割してなるレフィール保持パイプガイドとから構成されるレフィール繰り出し装置において、レフィール保持パイプガイドを、該レフィール保持パイプガイドの側面において、レフィールを一体に挿嵌、保持してなるレフィール保持パイプを自在に側面方向からレフィール保持溝内に挿嵌できるように、外壁の一部に前後方向に切り欠き部を穿設すると共に、この切り欠き部略先端において、円周方向に左右から突出する弾性係止爪を配設してなるものである。
【０００９】
更に、筆記具内において内装されるレフィール繰り出し装置を、カバー体と連結されて、装着されたスプリングにより軸筒後端より出没自在となるノック体と、該ノック体と共に進退自在、かつ揺動自在となる押出棒と、その後端部を細径化しつつ樹脂又は金属により一体に成形してなるレフィール保持パイプと、保持する複数のレフィール保持パイプに合わせて円形貫通底部を分割してなるレフィール保持パイプガイドの側面において、レフィールを一体に挿嵌、保持してなるレフィール保持パイプを自在に側面方向からレフィール保持溝内に挿嵌できるように、外壁の一部に前後方向に切り欠き部を穿設すると共に、この切り欠き部略先端において、円周方向に左右から突出する弾性係止爪を配設してなるレフィール保持パイプガイドにより構成してなるものである。
【００１０】
【発明の実施の形態】
この発明では、筆記具の軸筒内に内装されることとなるレフィール繰り出し装置において、レフィールを一体に挿嵌してなるレフィール保持パイプを、その後端部を細径化しつつ樹脂又は金属により一体に成形することにより、別体に造られたレフィール保持パイプの先端部と後端部とを接合又はポンチにより一体化するにあたって生じ易いレフィール保持パイプの変形を防止し得ると共に、レフィール保持パイプの構成部品点数を減らすことができる。
【００１１】
更に、レフィール保持パイプガイドの側面において、レフィールを一体に挿嵌、保持してなるレフィール保持パイプを自在に側面方向からレフィール保持溝内に挿嵌できるように、外壁の一部に前後方向に切り欠き部を穿設すると共に、この切り欠き部略先端において円周方向に左右から突出する弾性係止爪を配設してなるものとすることによって、レフィール繰り出し装置の組み立てが容易になるだけでなく、レフィールを一体に保持しているレフィール保持パイプの前後方向への摺動を確保すると共に、レフィール先端は筆記具を構成する軸筒の内壁面により軸筒の先端方向へ案内されるものであるので、円滑にレフィールの軸筒の先端から出没を可能とするものである上、切り欠き部略先端において円周方向に左右から突出するように配設される弾性係止爪により、レフィールを保持するレフィール保持パイプは摺動自在に保持されていることで、レフィール保持パイプを全周的に抱持する必要がなくなり、レフィール保持パイプを全周的に抱持する場合に比して、レフィール保持パイプの抱持孔とレフィール保持パイプガイドの外周との間の肉厚分だけレフィール保持パイプガイドの外径を小さくすることができ、従来使用していたレフィールを使用しつつレフィール保持パイプガイドの外径を小さくすることができるので、部品の汎用性を確保しつつ筆記具の軸筒の細径化に対して十分に対応することができる。
【００１２】
また、筆記具の軸筒内に内装されることとなるレフィール繰り出し装置を、上記後端部を細径化しつつ樹脂又は金属により一体に成形してなるレフィール保持パイプと、レフィールを一体に挿嵌、保持してなるレフィール保持パイプを自在に側面方向からレフィール保持溝内に挿嵌できるように外壁の一部に前後方向に切り欠き部を穿設すると共に、この切り欠き部略先端において円周方向に左右から突出する弾性係止爪を配設してなるレフィール保持パイプガイドからなるものとすることで、軸筒の外径に最も影響を与えることとなるレフィール繰り出し装置の筆記具のレフィール保持パイプガイドの外径を小さくすることができるので、小型化、特に筆記具を構成することとなる軸筒の更なる細径化に貢献することができるものとなる。
【００１３】
【実施例】
この発明を図に示す実施例により更に説明する。（１）はこの発明の実施例を具える筆記具であり、この筆記具（１）は、解除ボタン（４）を有するクリップ（３）を付設する金属製の軸筒（２）と、この金属製の軸筒（２）内において内装されるものであって、カバー体（６）によって連結され、軸筒（２）後端より突出し、内装するスプリング（８）により出没自在となるノック体（７）と共に進退自在、かつ揺動自在である押出棒（９）と、その前方において、レフィール（１１）を一体に挿嵌、保持してなるレフィール保持パイプ（１２）の後端部（１３）を、外装するスプリング（１５）と共にレフィール保持溝（１７）内に摺動自在に保持する一方で、その後方の円形貫通底部（１６）では、保持する複数のレフィール保持パイプ（１２）に合わせて等分割し、各分割部分において上記押出棒（９）によるレフィール保持パイプ（１２）の押出、ひいてはレフィール（１１）の押出を自在にしてなるレフィール保持パイプガイド（１０）とからなるレフィール繰り出し装置（５）から構成されるものである。
【００１４】
そして、この発明の実施例を具える筆記具（１）を構成する軸筒（２）内において内装される上記レフィール繰り出し装置（５）において、まず、その保持孔（１４）内に一体に挿嵌してレフィール（１１）を一体に保持してなるレフィール保持パイプ（１２）を、その後端部（１３）を細径化しつつ樹脂又は金属により一体に成形してなるものである。
【００１５】
また、上述する、この発明の実施例を具える筆記具（１）を構成する軸筒（２）内において内装されるレフィール繰り出し装置（５）においては、このレフィール繰り出し装置（５）を押出棒（９）と共に構成し、その後方の円形貫通底部（１６）を、保持する複数のレフィール保持パイプ（１２）に合わせて等分割してなるレフィール保持パイプガイド（１０）において、レフィール（１１）を挿嵌、保持してなるレフィール保持パイプ（１２）を側面方向からレフィール保持溝（１７）内に自在に挿嵌できるように、外壁の一部に前後方向に切り欠き部（１８）を穿設すると共に、この切り欠き部（１８）略先端において円周方向に左右から突出する弾性係止爪（１９）を配設してなるものである。
【００１６】
この発明の実施例を具える筆記具（１）を構成する軸筒（２）内において、複数のレフィール（１１）を軸筒（２）の先端より出没自在とするために内装されるレフィール繰り出し装置（５）において、まずレフィール（１１）を一体に保持するレフィール保持パイプ（１２）が以上の構成を具えるので、従来であれば別体に造られたレフィール保持パイプ（１２）の先端部と後端部とを接合又はポンチにより一体化するにあたって生じ易かったレフィール保持パイプ（１２）の変形を防止することができ、レフィール繰り出し装置（５）における円滑なレフィール（１１）の出没を可能にすると共に、一体化することでレフィール保持パイプ（１２）の構成部品点数を減らして、レフィール繰り出し装置（５）の組み立て作業の作業効率を向上させつつ、その作業に伴う作業コストを著しく低減させることができるものとなる。
【００１７】
そして、更にこの発明の実施例を具える筆記具（１）を構成する軸筒（２）内において内装されるレフィール繰り出し装置（５）においては、このレフィール繰り出し装置（５）を押出棒（９）と共に構成し、その後方の円形貫通底部（１６）を、保持する複数のレフィール保持パイプ（１２）に合わせて等分割してなるレフィール保持パイプガイド（１０）において、レフィール（１１）を挿嵌、保持してなるレフィール保持パイプ（１２）を側面方向からそのレフィール保持溝（１７）内に自在に挿嵌できるように、外壁の一部に前後方向に切り欠き部（１８）を穿設すると共に、この切り欠き部（１８）略先端において円周方向に左右から突出する弾性係止爪（１９）を配設するものであるので、レフィール（１１）を挿嵌、保持してなるレフィール保持パイプ（１２）をレフィール保持パイプガイド（１０）のレフィール保持溝（１７）内に、その後端部（１３）に外装するスプリング（１５）と共に保持させるにあたっては、レフィール保持パイプ（１２）を、その後端部（１３）に外装するスプリング（１５）と共にレフィール保持パイプガイド（１０）の切り欠き部（１８）に対して当接させると同時に押勢することによって、上記切り欠き部（１８）略先端において円周方向に左右から突出するように配設された弾性係止爪（１９）が僅かに左右方向に拡開するように変形するため、レフィール（１１）を挿嵌、保持してなるレフィール保持パイプ（１２）はレフィール保持パイプガイド（１０）のレフィール保持溝（１７）内に圧入され、同時に左右に拡開しつつ変形したレフィール保持パイプガイド（１０）の切り欠き部（１８）略先端に配設された弾性係止爪（１９）が弾性による変形を解消して元の形状に復帰することとなって、レフィール（１１）を一体に保持してなるレフィール保持パイプ（１２）はレフィール保持パイプガイド（１０）の保持溝（１７）内にスプリング（１５）と共に保持されることとなるものである。
【００１８】
このとき、レフィール保持パイプガイド（１０）のレフィール保持溝（１７）内に保持されることとなった、レフィール（１１）をその保持孔（１４）内に一体に保持してなるレフィール保持パイプ（１２）は、このレフィール保持パイプガイド（１０）のレフィール保持溝（１７）内において、その保持孔（１４）内に一体に保持するレフィール（１１）を軸筒（２）の先端から出没自在となるように、前後方向への摺動が確保されていることから、軸筒（２）の後端から突出するノック体（７）への打突及び軸筒（２）に有するクリップ（３）の解除ボタン（４）への押圧に応じて、レフィール保持パイプ（１２）の後端部（１３）に外装するスプリング（１５）の弾性を利用して軸筒（２）の先端からレフィール（１１）が出没自在となるものである。
【００１９】
また、レフィール保持パイプガイド（１０）のレフィール保持溝（１７）内に摺動自在に保持されることとなったレフィール保持パイプ（１２）は、レフィール保持パイプガイド（１０）を構成するレフィール保持溝（１７）の内壁面とこの発明の実施例を具える筆記具（１）を構成する軸筒（２）の内壁面（２’）により抱持され、そのレフィール保持パイプ（１２）に挿嵌、保持されたレフィール（１１）は、その内壁面（２’）により軸筒（２）の先端方向へ案内されるものであるので、レフィール（１１）の軸筒（２）の先端からの円滑な出没を可能とするものである上、レフィール保持パイプガイド（１０）のレフィール保持溝（１７）の切り欠き部（１８）略先端において円周方向に左右から突出するように配設される弾性係止爪（１９）により、レフィール（１１）をその保持孔（１４）内に保持するレフィール保持パイプ（１２）は摺動自在に保持されていることで、レフィール繰り出し装置（５）の組み立て作業が容易になるだけでなく、レフィール保持パイプ（１２）をレフィール保持パイプガイド（１０）によって全周的に抱持する必要がなくなるので、従来であればレフィール（１１）を抱持するために必要であった外壁が不要となって、レフィール保持パイプガイド（１０）自体の外径を小さくすることができるので、この発明の実施例を具える筆記具（１）、特にこの筆記具（１）を構成する軸筒（２）の細径化に対して十分に対応することができる。
【００２０】
その上、この発明の実施例を具える筆記具（１）において、複数のレフィール（１１）を軸筒（２）より出没自在とする、筆記具（１）を構成する軸筒（２）内に内装されることとなるレフィール繰り出し装置（５）を、上述するように後端部（１３）を細径化しつつ樹脂又は金属により一体に成形してなるレフィール保持パイプ（１２）と、レフィール（１１）を一体に挿嵌、保持してなるレフィール保持パイプ（１２）を自在にその保持溝（１７）内に挿嵌できるように外壁の一部に前後方向に切り欠き部（１８）を穿設すると共に、この切り欠き部（１８）略先端において円周方向に左右から突出する弾性係止爪（１９）を配設してなるレフィール保持パイプガイド（１０）からなるものとすることによって、レフィール繰り出し装置（５）の外径の小型化を図れるので筆記具（１）の小型化、特に筆記具を構成することとなる軸筒（２）の細径化に更に貢献することができるものとなる。
【００２１】
【発明の効果】
以上のとおり、筆記具の軸筒内に内装され、複数のレフィールを軸筒より出没自在とするレフィール繰り出し装置を、後端部を細径化しつつ樹脂又は金属により一体に成形してなるレフィール保持パイプと、レフィールを挿嵌、保持してなるレフィール保持パイプを自在にその保持溝内に挿嵌できるように外壁の一部に前後方向に切り欠き部を穿設すると共に、この切り欠き部略先端において円周方向に左右から突出する弾性係止爪を配設してなるレフィール保持パイプガイドからなるものとすることで、従来からのレフィールを使用することができることによって、その汎用性を確保しつつレフィールの出没を円滑に行うと共に、レフィール保持パイプガイドの外壁の一部を切り欠き部として軸筒自体の内壁面を利用しつつレフィールの出没を行うことで、レフィール保持パイプガイドを細径化し、以て筆記具、特に軸筒の細径化に十分に対応することができる優れた効果を有するものである。
【図面の簡単な説明】
【図１】この発明の実施例を具える筆記具の全体斜視図である。
【図２】この発明の実施例を具える筆記具の軸筒内に内装されるレフィール繰り出し装置の全体斜視図である。
【図３】この発明の実施例を具える筆記具の軸筒内に内装されるレフィール繰り出し装置を構成するレフィール保持パイプの全体斜視図である。
【図４】この発明の実施例を具える筆記具の軸筒内に内装されるレフィール繰り出し装置を構成するレフィール保持パイプにレフィールを保持した状態の斜視図である。
【図５】この発明の実施例を具える筆記具の軸筒内に内装されるレフィール繰り出し装置を構成するレフィール保持パイプガイドの全体斜視図である。
【図６】この発明の実施例を具える筆記具の軸筒内に内装されるレフィール繰り出し装置を構成するレフィール保持パイプガイドの前方からの正面図である。
【図７】この発明の実施例を具える筆記具の軸筒内に内装されるレフィール繰り出し装置を構成するレフィール保持パイプガイドの使用状態における要部拡大断面図である。
【符号の説明】
１  筆記具
２  軸筒
２’（軸筒の）内壁面
３  クリップ
４  解除ボタン
５  レフィール繰り出し装置
６  カバー体
７  ノック体
８  スプリング
９  押出棒
１０  レフィール保持パイプガイド
１１  レフィール
１２  レフィール保持パイプ
１３  後端部
１４  保持孔
１５  スプリング
１６  円形貫通底部
１７  レフィール保持溝
１８  切り欠き部
１９  弾性係止爪